(57)【要約】【課題】ふくらはぎの一部を集中的に効率良くマッサージすることができると共に、ふくらはぎ全体をスムーズにマッサージでき、且つ、ミルキングアクションを促進するための押し出しが容易であるふくらはぎ用マッサージ機を提供する。【解決手段】振動発生手段を内蔵するマッサージ機本体１２と、マッサージ機本体１２を把持するための把持部１３，１３と、振動発生手段に接続される振動伝達部１４と、振動伝達部１４に両端を回転自在に軸支され、振動伝達部１４を介して振動を伝達される所定長さを有するローラ１５とを備え、振動するローラ１５を受療者のふくらはぎ３４に当て、ふくらはぎ３４をマッサージするように構成されたふくらはぎ用マッサージ機１１を提供する。ローラ１５は軟質樹脂、又は、ゴムで形成されている。把持部１３，１３は少なくともマッサージ機本体１２の左右側面から夫々外方に向かって突設している。【選択図】図２
2009142316.tif 000002
【特許請求の範囲】
【請求項１】
振動発生手段を内蔵するマッサージ機本体と、前記マッサージ機本体を把持するための把持部と、前記振動発生手段に接続される振動伝達部と、前記振動伝達部に両端を回転自在に軸支され、前記振動伝達部を介して振動を伝達される所定長さを有するローラとを備え、振動する前記ローラを受療者のふくらはぎに当て、ふくらはぎをマッサージするように構成されたことを特徴とするふくらはぎ用マッサージ機。
【請求項２】
前記ローラは軟質樹脂、又は、ゴムで形成されていることを特徴とする請求項１記載のふくらはぎ用マッサージ機。
【請求項３】
前記ローラは円筒状、又は、円柱状に形成されていることを特徴とする請求項１又は２記載のふくらはぎ用マッサージ機。
【請求項４】
前記把持部は少なくとも前記マッサージ機本体の左右側面から夫々外方に向かって突設していることを特徴とする請求項１乃至３のうちいずれか一に記載のふくらはぎ用マッサージ機。
【請求項５】
請求項１乃至４のうちいずれか一に記載のふくらはぎ用マッサージ機の使用方法であって、前記把持部を両手で把持し、前記振動発生手段に振動を発生させ、前記振動発生手段から前記振動伝達部を介して前記ローラに振動を伝達させ、前記ローラの軸方向が受療者のふくらはぎの筋肉の繊維方向と直交するように、前記ローラをふくらはぎに圧接させて、ふくらはぎ上を受療者の上体方向に向かって転動させることを特徴とするふくらはぎ用マッサージ機の使用方法。
【請求項６】
前記振動発生手段から振動が伝達される前記ローラを、ふくらはぎの内側、中央、及び、外側の各部位に於いて、夫々受療者の上体方向に向かって転動させることを特徴とする請求項５記載のふくらはぎ用マッサージ機の使用方法。
【発明の詳細な説明】
【技術分野】
【０００１】
本発明は、ふくらはぎの施療部位を集中的に効率良くマッサージすることができると共に、ふくらはぎ内の血液を心臓方向に押し出す作用（所謂、ミルキングアクション）を容易にした、ふくらはぎ用マッサージ機及びその使用方法に関する。
【背景技術】
【０００２】
マッサージ機の一例として、例えば、図４に示すようなマッサージ機が広く用いられている。
このマッサージ機１は、振動発生手段（図示せず）を内蔵するマッサージ機本体２と、マッサージ機本体２を把持するため、マッサージ機本体２の左右及び前後側面から夫々外方に向かって突出される４つの把持部３，３，３，３と、マッサージ機本体２の先端に設けられ、振動発生手段に接続されるパット部４と、１つの把持部３の先端部に連接され、振動発生手段に電力を供給する電源コード５とを備え、振動するパット部４を受療者の施療部位に当ててマッサージするように構成されている。尚、図４に於いて、６は、スイッチ類である。
【０００３】
前記パット部４は、比較的広い施療面積を有するパットで構成され、比較的広い範囲の施療部位をマッサージすることが可能となっている。
【０００４】
尚、マッサージ機の先行文献として例えば特許文献１があり、特許文献１は、２つの施療子を備えたマッサージ機であって、クラッチと、切替スイッチにより、いずれか一つの施療子のみを動作させることにより節電を図ったマッサージ機である。
【特許文献１】登録実用新案第２５６３８１８号公報
【発明の開示】
【発明が解決しようとする課題】
【０００５】
前述した図４に示すマッサージ機は、比較的広い範囲の施療部位をマッサージすることができる利点があるが、受療者の施療部位の一部を集中的にマッサージすることが困難である。
例えば、受療者のふくらはぎの筋肉の緊張部分に対して集中的にマッサージすることが困難である。
又、施療部位への接触面積が広いため、ふくらはぎの下腿三頭筋に対してその静脈血液を受療者の上体方向に押し出す作用、所謂、ミルキングアクションを促進させることが困難である。そこで、前記問題点の解決が望まれている。
尚、前記特許文献１は、前述の問題を解決するものではない。
【０００６】
以上の現状に鑑み、本発明は、ふくらはぎの一部を集中的に効率良くマッサージすることができると共に、ふくらはぎ全体をスムーズにマッサージでき、且つ、ミルキングアクションを促進するための押し出しが容易であるふくらはぎ用マッサージ機及びその使用方法を提供することを目的とする。
【課題を解決するための手段】
【０００７】
上記の課題を解決すべく、本発明は以下の構成を提供する。
請求項１に係る発明は、振動発生手段を内蔵するマッサージ機本体と、前記マッサージ機本体を把持するための把持部と、前記振動発生手段に接続される振動伝達部と、前記振動伝達部に両端を回転自在に軸支され、前記振動伝達部を介して振動を伝達される所定長さを有するローラとを備え、振動する前記ローラを受療者のふくらはぎに当て、ふくらはぎをマッサージするように構成されたことを特徴とするふくらはぎ用マッサージ機を提供するものである。
【０００８】
請求項２に係る発明は、前記ローラは軟質樹脂、又は、ゴムで形成されていることを特徴とする請求項１記載のふくらはぎ用マッサージ機を提供するものである。
【０００９】
請求項３に係る発明は、前記ローラは円筒状、又は、円柱状に形成されていることを特徴とする請求項１又は２記載のふくらはぎ用マッサージ機を提供するものである。
【００１０】
請求項４に係る発明は、前記把持部は少なくとも前記マッサージ機本体の左右側面から夫々外方に向かって突設していることを特徴とする請求項１乃至３のうちいずれか一に記載のふくらはぎ用マッサージ機を提供するものである。
【００１１】
請求項５に係る発明は、請求項１乃至４のうちいずれか一に記載のふくらはぎ用マッサージ機の使用方法であって、前記把持部を両手で把持し、前記振動発生手段に振動を発生させ、前記振動発生手段から前記振動伝達部を介して前記ローラに振動を伝達させ、前記ローラの軸方向が受療者のふくらはぎの筋肉の繊維方向と直交するように、前記ローラをふくらはぎに圧接させて、ふくらはぎ上を受療者の上体方向に向かって転動させることを特徴とするふくらはぎ用マッサージ機の使用方法を提供するものである。
【００１２】
請求項６に係る発明は、前記振動発生手段から振動が伝達される前記ローラを、ふくらはぎの内側、中央、及び、外側の各部位に於いて、夫々受療者の上体方向に向かって転動させることを特徴とする請求項５記載のふくらはぎ用マッサージ機の使用方法を提供するものである。
【発明の効果】
【００１３】
本発明の請求項１記載の発明によれば、ふくらはぎの一部を集中的に効率良くマッサージすることができると共に、ふくらはぎ全体をスムーズにマッサージでき、且つ、ミルキングアクションを促進するための押し出しが容易であり、刺激部位の筋緊張の緩和と血流の改善を図ることができるふくらはぎ用マッサージ機を提供することができる。
【００１４】
請求項２記載の発明によれば、請求項１記載の発明の効果に加え、軟質樹脂、又は、ゴムによるソフトな感触のマッサージ及びミルキングアクションを促進するための押し出しが可能となる。
【００１５】
請求項３記載の発明によれば、請求項１又は２記載の発明の効果に加え、ふくらはぎの筋肉の繊維方向に、円筒状、又は、円柱状のローラの軸方向を直交させてローラを圧接転動させることにより、ローラは、ふくらはぎの筋肉の繊維方向と平行方向に狭い幅で、垂直方向に広い幅で接触して転動し、これによって、ふくらはぎ内の血液を比較的強い圧接力で、且つ、広い幅で押し出すことができ、ミルキングアクションを効果的に促進することが可能となる。
【００１６】
請求項４記載の発明によれば、請求項１乃至３のうちいずれか一に記載の発明の効果に加え、両手でふくらはぎ用マッサージ機を確実に把持することができると共に、ふくらはぎ用マッサージ機の姿勢制御が容易である。
【００１７】
請求項５記載の発明によれば、ふくらはぎの筋肉の繊維方向にローラの軸方向を直交させてローラを圧接し、上体方向に転動させることにより、ローラは、ふくらはぎの筋肉の繊維方向と平行方向に狭い幅で接触し、垂直方向に広い幅で接触して転動し、ふくらはぎ内の血液を比較的強い圧接力で、且つ、広い幅で押し出すことができ、ミルキングアクションを効果的に促進することが可能となり、又、筋肉の繊維方向と平行に筋肉を刺激することで、受療者の痛みを緩和し、受療者に心地よさを感じさせることができ、結果として、刺激部位の筋緊張の緩和と血流の改善を図ることができるふくらはぎ用マッサージ機の使用方法を提供することができる。
【００１８】
請求項６記載の発明によれば、請求項４記載の発明の効果に加え、ふくらはぎの内側、中央、及び、外側の各部位で夫々転動させることにより、夫々の部位で、スムーズにマッサージでき、且つ、ミルキングアクションを効果的に促進するための押し出しが行なえると共に、ふくらはぎ全体の効果的なマッサージ及び押し出しが行なえる。
【発明を実施するための最良の形態】
【００１９】
以下、実施例を示した図面を参照しつつ本発明の実施の形態を説明する。
図１に於いて、１１は、本発明のふくらはぎ用マッサージ機であり、ふくらはぎ用マッサージ機１１は、振動発生手段（図示せず）を内蔵するマッサージ機本体１２と、マッサージ機本体１２を把持するための２つの把持部１３，１３と、振動発生手段に接続される振動伝達部１４と、振動伝達部１４に両端を回転自在に軸支され、振動伝達部１４を介して振動を伝達される所定長さを有するローラ１５とを備えている。
【００２０】
そして、前記振動伝達部１４は、振動発生源に連結される振動連結部（図示せず）と、振動連結部に固着される伝達板１６と、伝達板１６の左右両端近傍から起立し、ローラ１５の両端を回転自在に軸支する軸支部１７，１７とから構成され、振動発生源の振動をローラ１５に伝達するように構成されている。
【００２１】
前記ローラ１５は、好適にはウレタン樹脂等の軟質樹脂、又は、ゴムで形成されているが、これに限定されるものではなく、硬質樹脂、木、竹、金属、布等で構成されても良く、又、それらが、硬い材料である場合に、その硬い材料を軟らかい布、毛皮、軟質樹脂、又は、ゴム等で被包したものでも良い。
【００２２】
更に、前記ローラ１５は、好適には全体が軸方向に同径（例えば直径約４センチ）の円筒状又は円柱状に形成されているが、これに限定されることなく、例えば、円筒の中央部を漸次、緩やかに拡径した形状でも良く、反対に中央部を漸次、緩やかに縮径した形状のものでも良い。
或いは、ローラ１５を種々の形状、又は、種々の材料で形成しても良く、そのローラを取替え自在に構成しても良い。
又、前記ローラ１５のローラ本体、又は、円筒状のローラ１５の軸部等にヒータ等を設けて、ローラ１５に温熱効果を持たせることも可能である。
【００２３】
前記把持部１３，１３は、施療者が左右の手で安定して把持できるように、少なくともマッサージ機本体１２の左右側面から夫々外方に向かって突設している。
【００２４】
前記振動発生源は、好適には一定の周波数の振動を規則的に発生させるものであるが、これに限定されることなく、強弱の振動を発生させ、それらを選択できるように構成しても良く、強弱の振動を規則的に、或いは、不規則的に発生させても良く、或いは、振動に加えて、その他の動き、例えば、揺動等を付加する構造にすることも可能である。
【００２５】
尚、図中１８は、マッサージ機本体１２の前部に把持部１３を取付けるための取付穴であり、マッサージ機本体１２の後部にも同様な取付穴が設けられている。この前部及び後部の取付穴に、追加して、或いは、前記左側の把持部１３を付け替える（右側の把持部１３は後述する電源コードがあるため付け替えが困難である）等して、把持部１３を取付けても良い。
又、図中１９は、前記振動発生源に電源を供給する電源コードであり、電源コード１９は、図に於ける右側の把持部１３の先端から外部に延設されている。又、図中２０は、電源スイッチである。
【００２６】
図２は、前記ふくらはぎ用マッサージ機１１の使用方法を示し、図に従って説明すると、先ず、施療者３１が、ふくらはぎ用マッサージ機１１の把持部１３，１３を両手３２，３２で夫々把持し、電源スイッチ２０の操作により、振動発生手段に振動を発生させ、振動発生手段から振動伝達部１４を介してローラ１５に振動を伝達させ、ローラ１５の軸方向が受療者３３のふくらはぎ３４の筋肉の繊維方向と直交するように、ローラ１５をふくらはぎ３４に圧接させて、ふくらはぎ３４上を矢印の如く受療者３３の上体方向に向かって、例えば、アキレス腱下部（踵骨上部）から上方の膝窟下部に向かって転動させる。
その際、施療者３１は少し加重、例えば、３〜５ｋｇをかけてローラ１５を転動させる。
ローラ１５は、図３に示す如く、ふくらはぎ３４の内側ａ、中央ｂ、及び、外側ｃの各部位を、順次に、矢印に示すように夫々受療者３３の上体方向に向かって転動させ、それを適宜回数繰り返す。
【００２７】
尚、ふくらはぎ３４の内側ａ、中央ｂ、及び、外側ｃを順次に転動させる方法、及び、それを適宜回数繰り返す方法がマッサージ効果上、或いは、ミルキングアクションの効果上、最適であるが、それに限定されるものではなく、その順番を変えても良く、或いは、一部の部位、又は、３つの部位の転動回数を複数回とすることも可能であり、その転動方法を繰り返すことも可能である。
【図面の簡単な説明】
【００２８】
【図１】本発明によるふくらはぎ用マッサージ機の斜視図である。
【図２】本発明によるふくらはぎ用マッサージ機の使用方法を示す斜視図である。
【図３】本発明によるふくらはぎ用マッサージ機の使用方法による施療部位を示す斜視図である。
【図４】従来例によるマッサージ機の斜視図である。
【符号の説明】
【００２９】
１１  ふくらはぎ用マッサージ機
１２  マッサージ機本体
１３  把持部
１４  振動伝達部
１５  ローラ
３２  手
３４  ふくらはぎ
【図１】
2009142316.tif 000003
【図２】
2009142316.tif 000004
【図３】
2009142316.tif 000005
【図４】
2009142316.tif 000006